(57)【要約】【課題】横引排水管における尿石の成長を抑制できる、継ぎ手及び連立小便器システムを提供する。【解決手段】複数の小便器のそれぞれの排水口に接続され、鉛直方向と交差する第１方向に延びる横引排水管と、前記第１方向において互いに対向し、鉛直方向に平行な第１壁面部及び第２壁面部を有し、前記第１壁面部には前記横引排水管から流れた水が打ち当たり、前記横引排水管よりも下方に設けられる第１縦排水管と、の間に接続される継ぎ手であって、前記横引排水管と連結される第１連結口と、前記第１縦排水管と連結される第２連結口と、前記第２壁面部と前記横引排水管の下面とに連なる内曲部と、前記内曲部以外に設けられた点検口と、を備え、前記点検口を通して前記第２壁面部及び前記内曲部を視認可能である。【選択図】図１
2020066894.tif 000002
【特許請求の範囲】
【請求項１】
複数の小便器のそれぞれの排水口に接続され、鉛直方向と交差する第１方向に延びる横引排水管と、
前記第１方向において互いに対向し、鉛直方向に平行な第１壁面部及び第２壁面部を有し、前記第１壁面部には前記横引排水管から流れた水が打ち当たり、前記横引排水管よりも下方に設けられる第１縦排水管と、
の間に接続される継ぎ手であって、
前記横引排水管と連結される第１連結口と、
前記第１縦排水管と連結される第２連結口と、
前記第２壁面部と前記横引排水管の下面とに連なる内曲部と、
前記内曲部以外に設けられた点検口と、
を備え、
前記点検口を通して前記第２壁面部及び前記内曲部を視認可能である継ぎ手。
【請求項２】
前記点検口の径は、前記第２連結口の径よりも大きい請求項１記載の継ぎ手。
【請求項３】
前記第１壁面部と前記横引排水管の上面とに連なる外曲部をさらに備え、
前記点検口は、前記外曲部に設けられ、上方を向いている請求項１又は２に記載の継ぎ手。
【請求項４】
前記横引排水管よりも上方に設けられる第２縦排水管と連結される第３連結口をさらに備えた請求項１又は２に記載の継ぎ手。
【請求項５】
トイレ室の壁面に沿って設置されるライニングユニットと、
前記ライニングユニットの内部に設けられる前記横引排水管と、
前記ライニングユニットの内部に設けられる請求項１〜４のいずれか１つに記載の前記継ぎ手と、
前記ライニングユニットの前面に取り付けられる前記複数の小便器と、
を備えた連立小便器システム。
【請求項６】
前記ライニングユニットは、着脱可能なパネルを有し、
前記パネルは、前記横引排水管が延びる方向に垂直であり且つ水平な方向において前記継ぎ手と並ぶ位置に設けられる請求項５記載の連立小便器システム。
【発明の詳細な説明】
【技術分野】
【０００１】
本発明の態様は、一般的に、継ぎ手及び連立小便器システムに関する。
【背景技術】
【０００２】
小便器を複数連立して並べた連立小便器がある。これらの小便器の排水口には、水平方向に沿って延びる横引排水管が接続される。
【０００３】
連立小便器では、尿のみが繰り返し横引排水管に流されるため、横引排水管で尿石が成長し易い。横引排水管で尿石が大きく成長すると、横引排水管が尿石により詰まり、連立小便器を使用できなくなる。この課題に対して、横引排水管の一端に掃除口を設け、横引排水管の内部を容易に洗浄可能とする技術が知られている（例えば特許文献１）。
【先行技術文献】
【特許文献】
【０００４】
【特許文献１】特開２０１７−５３２０４号公報
【発明の概要】
【発明が解決しようとする課題】
【０００５】
横引排水管における尿石の成長速度は、初期の頃には緩やかであるが、その後に急激に増大する。本願発明者の調査の結果、尿石の成長速度の急激な増加は、横引排水管の下流に接続された継ぎ手に起因することが分かった。
本発明は、かかる課題の認識に基づいてなされたものであり、横引排水管での尿石による詰まりを防止するために有用な、継ぎ手及び連立小便器システムを提供することを目的とする。
【課題を解決するための手段】
【０００６】
第１の発明は、複数の小便器のそれぞれの排水口に接続され、鉛直方向と交差する第１方向に延びる横引排水管と、前記第１方向において互いに対向し、鉛直方向に平行な第１壁面部及び第２壁面部を有し、前記第１壁面部には前記横引排水管から流れた水が打ち当たり、前記横引排水管よりも下方に設けられる第１縦排水管と、の間に接続される継ぎ手であって、前記横引排水管と連結される第１連結口と、前記第１縦排水管と連結される第２連結口と、前記第２壁面部と前記横引排水管の下面とに連なる内曲部と、前記内曲部以外に設けられた点検口と、を備え、前記点検口を通して前記第２壁面部及び前記内曲部を視認可能である継ぎ手である。
【０００７】
この継ぎ手によれば、人が点検口を通して第２壁面部や内曲部における尿石の成長度合いを点検できる。例えば、点検の結果、第２壁面部や内曲部における尿石の成長度合いに応じて、継ぎ手や横引排水管の高圧洗浄又は掃除を行うことができ、横引排水管で尿石による詰まりが生じることを事前に防止できる。また、点検口が内曲部以外に設けられることで、第２壁面部の視認が容易になるとともに、点検口で尿石が成長することを回避できる。
【０００８】
第２の発明は、第１の発明において、前記点検口の径は、前記継ぎ手の前記第２連結口の径よりも大きい継ぎ手である。
【０００９】
この継ぎ手によれば、点検口を通した第２壁面部の清掃が容易となる。
【００１０】
第３の発明は、第１又は第２の発明において、前記第１壁面部と前記横引排水管の上面とに連なる外曲部をさらに備え、前記点検口は、前記外曲部に設けられ、上方を向いている継ぎ手である。
【００１１】
この継ぎ手によれば、点検口を通した第２壁面部の点検や清掃が容易となる。
【００１２】
第４の発明は、第１又は第２の発明において、前記横引排水管よりも上方に設けられる第２縦排水管と連結される第３連結口をさらに備えた継ぎ手である。
【００１３】
第３連結口を備える継ぎ手では、横引排水管に加え、第２縦排水管からも尿が流れるため、内曲部及び第２壁面部における尿石がより成長し易い。この継ぎ手によれば、そのような場合でも、点検口を通して第２壁面部や内曲部における尿石の成長度合いを点検できる。例えば、点検の結果、第２壁面部や内曲部における尿石の成長度合いに応じて、継ぎ手や横引排水管の掃除又は高圧洗浄を行うことができる。
【００１４】
第５の発明は、トイレ室の壁面に沿って設置されるライニングユニットと、前記ライニングユニットの内部に設けられる前記横引排水管と、前記ライニングユニットの内部に設けられる第１〜第４のいずれか１つに記載の前記継ぎ手と、前記ライニングユニットの前面に取り付けられる前記複数の小便器と、を備えた連立小便器システムである。
【００１５】
この連立小便器システムによれば、継ぎ手に設けられた点検口を通して、第２壁面部や内曲部における尿石の成長度合いを点検することが可能である。
【００１６】
第６の発明は、第５の発明において、前記ライニングユニットは、着脱可能なパネルを有し、前記パネルは、前記横引排水管が延びる方向に垂直であり且つ水平な方向において前記継ぎ手と並ぶ位置に設けられる連立小便器システムである。
【００１７】
この連立小便器システムによれば、パネルをライニングユニットから取り外すことで、点検口にアクセスできるようになる。このため、点検口を通した第２壁面部の点検を容易に行うことができる。
【発明の効果】
【００１８】
本発明の態様によれば、横引排水管での尿石による詰まりを防止するために有用な、継ぎ手及び連立小便器システムが提供される。
【図面の簡単な説明】
【００１９】
【図１】第１実施形態に係る継ぎ手を備えた連立小便器システムを表す正面図である。
【図２】第１実施形態に係る継ぎ手を備えた連立小便器システムを表す側面図である。
【図３】第１実施形態に係る継ぎ手を含む、連立小便器システムの一部を表す断面図である。
【図４】第１実施形態に係る継ぎ手を含む、連立小便器システムの一部を表す断面図である。
【図５】第１実施形態に係る継ぎ手の変形例を表す図である。
【図６】第１実施形態に係る継ぎ手の変形例を表す図である。
【図７】第２実施形態に係る継ぎ手を含む、連立小便器システムの一部を表す断面図である。
【図８】第１及び第２実施形態に係る継ぎ手を備えた連立小便器システムを表す正面図である。
【発明を実施するための形態】
【００２０】
以下、本発明の実施形態について図面を参照しつつ説明する。なお、各図面中、同様の構成要素には同一の符号を付して詳細な説明は適宜省略する。
【００２１】
図１は、第１実施形態に係る継ぎ手を備えた連立小便器システムを表す正面図である。
図２は、第１実施形態に係る継ぎ手を備えた連立小便器システムを表す側面図である。
【００２２】
本発明の実施形態において、連立小便器システム１は、図１及び図２に表したように、継ぎ手１００と、横引排水管２００と、縦排水管３００（第１縦排水管）と、ライニングユニット４００と、複数の小便器５００と、を備える。この例では、継ぎ手１００は、エルボである。
【００２３】
本願明細書において、トイレ室の床面Ｆなどに対して水平な方向であって、小便器５００に向かって立った使用者からみて手前側を「前方」とし、奥側を「後方」とする。また、当該使用者からみて右側を「右側方」とし、左側を「左側方」とする。当該使用者からみて上側を「上方」とし、下側を「下方」とする。
【００２４】
ライニングユニット４００は、トイレ室の壁面ＷＬに沿って設置されている。ライニングユニット４００は、その骨格を構成するフレームと、そのフレームに取り付けられた複数のパネルと、を有する。例えば、複数のパネルの少なくとも一部は、フレームに引っ掛けられており、フレームに対して着脱可能である。図１に表した例では、ライニングユニット４００が、着脱可能なパネル４１０を有する。
【００２５】
小便器５００は、ライニングユニット４００に沿って複数連立して並べられ、それぞれがライニングユニット４００の前面に取り付けられている。小便器５００には、給水配管５１０が接続されている。それぞれの小便器５００と給水配管５１０との接続部分には、バルブ５２０が設けられている。バルブ５２０の動作は、制御部５３０により制御される。
【００２６】
制御部５３０は、所定のタイミングでバルブ５２０を開き、給水配管５１０から小便器５００へ水を供給し、小便器５００のボウル面を洗浄する。所定のタイミングとは、小便器５００が使用された直後や、予め設定された時間間隔が経過したときなどである。図１に表した例では、複数の小便器５００にそれぞれ制御部５３０が設けられているが、複数の小便器５００に対して１つの制御部５３０が設けられても良い。
【００２７】
継ぎ手１００、横引排水管２００、及び縦排水管３００などの排水管は、ライニングユニット４００の内側に設けられ、使用者から見えないように隠蔽されている。横引排水管２００は、配管部材を介して、複数の小便器５００のそれぞれの排水口と接続部２１０において接続されている。小便器５００のボウル面に排泄された尿や、当該ボウル面を洗浄した水は、配管部材を通して横引排水管２００へ流れる。
【００２８】
横引排水管２００は、鉛直方向と交差する方向（第１方向）に延びている。当該方向は、例えば、水平方向である。又は、後述するように、当該方向は、水平方向に対して傾斜していても良い。横引排水管２００の一端は、接続配管２２０の一端に接続されている。接続配管２２０には、通気管２３０の一端が接続されている。通気管２３０の他端は、図示しない通気立管を通り、例えば建築物の屋外に通じている。これにより、通気管２３０を通して、横引排水管２００などからの悪臭を屋外に放出したり、屋外から空気を横引排水管２００に導入したりできる。
【００２９】
接続配管２２０の他端には、例えば着脱可能な蓋が設けられる。この蓋を取り外すことで、接続配管２２０を通して横引排水管２００の内側を点検したり、高圧洗浄したりできる。
【００３０】
横引排水管２００には、勾配が設けられている。図１に表した例では、矢印Ａ１で示すように、右側方に向かって下方に傾斜する勾配が設けられている。一例として、横引排水管２００には、０．５度〜２．０度程度の勾配が設けられる。
【００３１】
継ぎ手１００及び縦排水管３００は、横引排水管２００の下流側に設けられる。縦排水管３００は、トイレ室の床面Ｆに固定されている。継ぎ手１００は、横引排水管２００と縦排水管３００との間に接続されている。
【００３２】
図３は、第１実施形態に係る継ぎ手を含む、連立小便器システムの一部を表す断面図である。
図３に表したように、継ぎ手１００は、横引排水管２００と連結される第１連結口１２１と、縦排水管３００と連結される第２連結口１２２と、を有する。小便器５００から横引排水管２００へ流れた水Ｗは、第１連結口１２１を通って継ぎ手１００へ流れる。その後、第２連結口１２２を通り、横引排水管２００よりも下方に設けられた縦排水管３００へ流れていく。水Ｗは、横引排水管２００では水平方向に向けて流れるが、継ぎ手１００でその向きが変えられ、縦排水管３００では鉛直方向に向けて流れていく。
【００３３】
縦排水管３００は、鉛直方向に平行な第１壁面部３０１及び第２壁面部３０２を有する。第１壁面部３０１及び第２壁面部３０２は、横引排水管２００が延びる方向（左右方向）において互いに対向している。第２壁面部３０２の左右方向における位置は、横引排水管２００の左右方向における位置と、第１壁面部３０１の左右方向における位置と、の間にある。
【００３４】
継ぎ手１００は、互いに対向する外曲部１０１及び内曲部１０２を有する。外曲部１０１の一端は、水平方向に平行であり、横引排水管２００の上面２０１と連なっている。外曲部１０１の他端は、鉛直方向に平行であり、縦排水管３００の第１壁面部３０１と連なっている。また、内曲部１０２の一端は、水平方向に平行であり、横引排水管２００の下面２０２と連なっている。内曲部１０２の他端は、鉛直方向に平行であり、縦排水管３００の第２壁面部３０２と連なっている。
【００３５】
図３に表した例では、外曲部１０１及び内曲部１０２は、水平方向から鉛直方向に向けて湾曲している。内曲部１０２は、外曲部１０１よりも急峻に曲がっている。ただし、外曲部１０１及び内曲部１０２における曲がり目の形状は、この例に限定されない。例えば、外曲部１０１及び内曲部１０２の少なくともいずれか一方に、角が設けられていても良い。又は、外曲部１０１及び内曲部１０２の少なくともいずれか一方に、湾曲した部分と角の部分とが設けられていても良い。横引排水管２００から流れた水Ｗの方向を縦排水管３００に向けて変えることができれば、外曲部１０１及び内曲部１０２における曲がり目の形状は、適宜変更可能である。
【００３６】
給水配管５１０から小便器５００に水が供給されると、横引排水管２００に多量の水が流れ込む。水Ｗは、横引排水管２００の下面２０２上を水平方向に向けて流れ、継ぎ手１００の内曲部１０２上を通る。このとき、図３に表したように、内曲部１０２の湾曲した部分では、水Ｗの大部分が、その勢いにより内曲部１０２を離れて斜め下方へ流れ、第１壁面部３０１に打ち当たる。このような水Ｗの流れ方は、内曲部１０２に角が設けられている場合でも同様である。
【００３７】
継ぎ手１００は、点検口１１０を備える。点検口１１０は、内曲部１０２以外に設けられる。図３に表した例では、点検口１１０は、外曲部１０１に設けられている。又は、点検口１１０は、外曲部１０１及び内曲部１０２以外の、継ぎ手１００の前面又は後面に設けられても良い。
【００３８】
点検口１１０は、点検口１１０を通して第２壁面部３０２及び内曲部１０２を視認できるように設けられる。点検口１１０には、図３に表したように、着脱可能な蓋１１１が設けられていても良い。第２壁面部３０２及び内曲部１０２を点検する際は、蓋１１１を点検口１１０から取り外して点検を実施する。
【００３９】
図４は、第１実施形態に係る継ぎ手を含む、連立小便器システムの一部を表す断面図である。
図４では、本願の発明者が発見した、継ぎ手１００近傍における尿石の堆積過程を模式的に表している。
【００４０】
上述したように、小便器５００のボウル面が洗浄されると、尿を含む水が横引排水管２００へ流れる。横引排水管２００から継ぎ手１００へ流れた水Ｗは、その勢いにより縦排水管３００の第１壁面部３０１に打ち当たる。このとき、図４（ａ）に表したように、水Ｗの一部が飛散し、水滴Ｄが第２壁面部３０２に付着する。
【００４１】
水滴Ｄは、比較的水分量が少なく、空気に触れる表面積も大きいため、乾燥し易い。水滴Ｄが乾燥すると、第２壁面部３０２では、図４（ｂ）に表したように尿石Ｕが成長する。また、小便器５００への水の供給が終了すると、横引排水管２００から継ぎ手１００へ流れる水の勢いが弱まっていく。水は、勢いが弱まると、内曲部１０２に沿って第２壁面部３０２を流れる。流速の遅い水に含まれる尿は、第２壁面部３０２で生成された尿石Ｕと反応し易く、これにより尿石Ｕの成長スピードが加速される。
【００４２】
第１壁面部３０１から第２壁面部３０２へ飛散した水滴と、第２壁面部３０２を流れる流速の遅い水と、により第２壁面部３０２で尿石が成長していくと、図４（ｃ）に表したように、尿石Ｕの一部が上方に向けて突出してくる。この結果、尿石Ｕの一部と内曲部１０２との隙間に水Ｗが溜まるようになる。これにより、水Ｗに含まれる尿と尿石Ｕが反応し、尿石Ｕの成長がさらに加速される。
【００４３】
その後、尿石Ｕがさらに成長すると、図４（ｄ）に表したように、尿石Ｕの一部が横引排水管２００の下面２０２よりも上方に位置するようになる。この結果、尿石Ｕにより下面２０２を流れる水Ｗがせき止められ、下面２０２に水が滞留した状態となる。下面２０２に水が滞留することで、横引排水管２００における尿石の成長速度が急激に増大する。その後、成長した尿石により、継ぎ手１００又は横引排水管２００において詰まりが生じ、小便器５００が使用できなくなる。
【００４４】
実施形態の効果を説明する。
従来、連立小便器システムにおける点検口は、可能な限り上流側に設置されていた。こうすることで、その点検口を通して下流に向けて高圧洗浄を行った際、より広い範囲を洗浄できる。例えば、横引排水管２００や縦排水管３００の下流に点検口が設けられると、その点検口から上流側に向けた高圧洗浄は実行できなくなる。上流側に向けて高圧洗浄を行うと、水が通常とは逆方向に流れ、小便器５００から水が溢れたり、通気管２３０に水が流入したりするためである。
【００４５】
一方で、本願の発明者は、連立小便器システム１における排水管の詰まりが、図４（ａ）〜図４（ｄ）に表したように、縦排水管３００の第２壁面部３０２における尿石の成長に起因することを発見した。この知見に基づき、実施形態に係る継ぎ手１００では、第２壁面部３０２を視認できる点検口１１０が設けられている。
【００４６】
点検口１１０を継ぎ手１００に設けることで、人（連立小便器システム１の管理者や清掃者など）が、点検口１１０を通して第２壁面部３０２や内曲部１０２における尿石の成長度合いを点検できる。例えば、第２壁面部３０２に大きな尿石が形成されている場合には、継ぎ手１００や、横引排水管２００、縦排水管３００を高圧洗浄することで、第２壁面部３０２の尿石を除去する。あるいは、人が、点検口１１０を通して、第２壁面部３０２をブラシなどにより直接掃除しても良い。これにより、横引排水管２００で尿石による詰まりが生じることを事前に防止できる。
【００４７】
また、点検口１１０は、内曲部１０２以外に設けられることが望ましい。内曲部１０２に点検口１１０が設けられると、点検口１１０を通した第２壁面部３０２の視認が困難である。また、点検口１１０が設けられた位置で水が溜まり、尿石の成長要因となる。
【００４８】
実施形態に係る継ぎ手１００は、特に図１及び図２に表した連立小便器システム１に好適に用いられる。連立小便器システム１では、横引排水管２００に尿のみを含む水が繰り返し流され、尿石が成長し易いためである。加えて、横引排水管２００が複数の大便器に接続される場合、横引排水管２００における詰まりが生じ難い。横引排水管２００が大便器に接続される場合、横引排水管２００や縦排水管３００などの排水管には、尿以外の様々なもの（トイレットペーパーや大便など）が多く流れる。これらのものが排水管を流れると、排水管内で水の流れ方が乱れ、これにより排水管内の特定部分における尿石の成長が妨げられるためである。
【００４９】
点検口１１０の径Ｒ１は、縦排水管３００の径Ｒ２よりも大きいことが望ましい。縦排水管３００の径Ｒ２は、換言すると、継ぎ手１００の第２連結口１２２の径である。径Ｒ１を径Ｒ２よりも大きくすることで、点検口１１０を通した第２壁面部３０２の清掃が容易となる。
【００５０】
また、点検口１１０から内曲部１０２や第２壁面部３０２をより容易に点検するためには、パネル４１０が継ぎ手１００の前方に設けられることが望ましい。換言すると、パネル４１０は、横引排水管２００が延びる方向（左右方向）に垂直であり且つ水平な方向（前後方向）において、継ぎ手１００と並ぶ位置に設けられることが望ましい。この構成によれば、パネル４１０をライニングユニット４００から取り外すことで、点検口１１０にアクセスできるようになる。このため、点検口１１０を通した第２壁面部３０２の点検がさらに容易となる。
【００５１】
図５及び図６は、第１実施形態に係る継ぎ手の変形例を表す図である。図５（ａ）及び図６（ａ）は、背面図を表し、図５（ｂ）及び図６（ｂ）は、断面図を表す。
点検口１１０は、図３に表したように上方を向いていても良いし、図５（ａ）及び図５（ｂ）に表したように、斜め上方を向いていても良い。この場合、矢印Ａ３の方向から点検口１１０を通して第２壁面部３０２や内曲部１０２を視認できる。又は、点検口１１０は、図６（ａ）及び図６（ｂ）に表したように、水平方向を向いていても良い。この場合、矢印Ａ５の方向から点検口１１０を通して第２壁面部３０２を視認できる。
【００５２】
ただし、建築物の床面Ｆから縦排水管３００の上端までの長さは、規格化されており、概ね８０ｍｍ程度である。点検口１１０が水平方向を向いていると、人が屈み込んだ状態で点検口１１０を覗き込んだり第２壁面部３０２を清掃したりする必要がある。従って、点検口１１０を通した点検や清掃を容易とするためには、点検口１１０は、図３に表したように上方を向いていることが望ましい。ただし、点検口１１０の向きは、上下方向から僅かに傾斜していても良い。例えば、点検口１１０の軸心の方向と上下方向との間の角度が０度以上２０度以下であれば、点検口１１０は上方を向いていると見なすことができる。
【００５３】
図７は、第２実施形態に係る継ぎ手を含む、連立小便器システムの一部を表す断面図である。
第２実施形態に係る継ぎ手１００ａは、第１連結口１２１及び第２連結口１２２に加えて、第３連結口１２３を有する。第３連結口１２３は、上方を向いており、横引排水管２００及び縦排水管３００よりも上方に設けられる縦排水管３５０（第２縦排水管）と連結されている。
【００５４】
点検口１１０は、縦排水管３００及び縦排水管３５０に連なる鉛直方向に平行な壁面部１３０に設けられている。例えば、点検口１１０は、第１連結口１２１と反対の方向を向き、点検口１１０の少なくとも一部が、左右方向において、第１連結口１２１の少なくとも一部及び横引排水管２００の少なくとも一部と対向している。又は、点検口１１０が向いている方向は、水平方向であり、且つ第１連結口１２１が向いている方向と交差（例えば、直交）する方向であっても良い。
【００５５】
第２実施形態に係る継ぎ手１００ａにおいても、水Ｗが流れると、第１実施形態に係る継ぎ手１００と同様に、縦排水管３００の第２壁面部３０２及び継ぎ手１００ａの内曲部１０２において尿石の成長が生じる。また、一般的に、縦排水管３５０には、別の連立小便器システムからの排水が流れる。このため、継ぎ手１００ａでは、縦排水管３５０から流れた排水に含まれる尿により、尿石がより成長し易い。
継ぎ手１００ａが点検口１１０を有することで、第２壁面部３０２や内曲部１０２における尿石の成長度合いを点検することが可能となる。例えば、点検の結果、第２壁面部３０２や内曲部１０２における尿石の成長度合いに応じて、継ぎ手１００ａや横引排水管２００の掃除又は高圧洗浄を行うことができる。
【００５６】
図８は、第１及び第２実施形態に係る継ぎ手を備えた連立小便器システムを表す正面図である。
図８は、建築物Ｂと、その各階（１階１Ｆ、２階２Ｆ、・・・最上階ＴＦ）に設けられた連立小便器システム１と、を表している。
【００５７】
最上階ＴＦ以外の階（１階１Ｆや２階２Ｆ）に設けられた連立小便器システム１ａでは、横引排水管２００に、第２実施形態に係る継ぎ手１００ａが接続されている。最上階ＴＦの連立小便器システム１では、横引排水管２００に、第１実施形態に係る継ぎ手１００が接続されている。継ぎ手１００と継ぎ手１００ａとの間には、縦排水管３５０が接続されている。
【００５８】
図８に表したように、複数の階にそれぞれ連立小便器システムが設けられ、それらの排水が合流する場合、第１及び第２実施形態に係る継ぎ手１００及び継ぎ手１００ａを併用することが効果的である。こうすることで、各階において、継ぎ手１００又は継ぎ手１００ａ付近で尿石の成長度合いを容易に点検できるようになる。
【００５９】
例えば、継ぎ手１００及び継ぎ手１００ａは、建築物Ｂに設けられた点検パネルなどの裏側に位置するように設けられる。こうすることで、点検パネルを取り外すことで継ぎ手１００及び継ぎ手１００ａにアクセスでき、容易に点検を行えるようになる。
【００６０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、継ぎ手や、横引排水管、縦排水管、ライニングユニット、小便器などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１ 連立小便器システム、  １００、１００ａ 継ぎ手、  １０１ 外曲部、  １０２ 内曲部、  １１０ 点検口、  １１１ 蓋、  １２１ 第１連結口、  １２２ 第２連結口、  １２３ 第３連結口、  １３０ 壁面部、  ２００ 横引排水管、  ２０１ 上面、  ２０２ 下面、  ２１０ 接続部、  ２２０ 接続配管、  ２３０ 通気管、  ３００ 縦排水管、  ３０１ 第１壁面部、  ３０２ 第２壁面部、  ３５０ 縦排水管、  ４００ ライニングユニット、  ４１０ パネル、  ５００ 小便器、  ５１０ 給水配管、  ５２０ バルブ、  ５３０ 制御部、  Ａ１、Ａ３、Ａ５ 矢印、  Ｂ 建築物、  Ｄ 水滴、  Ｆ 床面、  １Ｆ １階、  ２Ｆ ２階、  ＴＦ 最上階、  Ｒ１、Ｒ２ 径、  Ｕ 尿石、  Ｗ 水、  ＷＬ 壁面
【図１】
2020066894.tif 000003
【図２】
2020066894.tif 000004
【図３】
2020066894.tif 000005
【図４】
2020066894.tif 000006
【図５】
2020066894.tif 000007
【図６】
2020066894.tif 000008
【図７】
2020066894.tif 000009
【図８】
2020066894.tif 000010